(57)【要約】【課題】四角い切欠き形状の蹴込みを設ける場合であっても変形を防ぎ、デザイン性の向上を図ることが可能な収納庫を提供することを目的とする。【解決手段】本発明にかかる収納庫の構成は、被収納物を収納可能なスライド式の引出と、少なくとも両側面（右側面２００ａ、左側面２００ｂ）がステンレス製の板状部材によって形成され引出を収容する本体部２００を備え、本体部２００は、その両側面の前側の下部に形成され後方に向かって後退した蹴込み部２０６と、その両側面各々の前縁および下縁においてコの字状に曲げ加工された屈曲部２０２ｃと、を有し、当該収納庫は、両側面の外側で蹴込み部に沿って配置され前縁の屈曲部と下縁の屈曲部との両方に当接する樹脂製の補強部材２５０と、本体部の底面の下かつ両側面の内側に配置され補強部材と連結される底面ブロック２７０と、を更に備えることを特徴とする。【選択図】図２
2019080807.tif 000002
【特許請求の範囲】
【請求項１】
被収納物を収納可能なスライド式の引出を備える収納庫であって、
少なくとも両側面がステンレス製の板状部材によって形成され前記引出を収容する本体部を備え、
前記本体部は、
その両側面の前側の下部に形成され後方に向かって後退した蹴込み部と、
その両側面各々の前縁および下縁においてコの字状に曲げ加工された屈曲部と、
を有し、
当該収納庫は、
前記両側面の外側で前記蹴込み部に沿って配置され前記前縁の屈曲部と前記下縁の屈曲部との両方に当接する樹脂製の補強部材と、
前記本体部の底面の下かつ前記両側面の内側に配置され前記補強部材と連結される底面ブロックと、
を更に備えることを特徴とする収納庫。
【請求項２】
前記底面ブロックは、上面に仮固定用のフックが形成されていて、
前記本体部の底面は、前記フックに対応する位置にだるま穴が形成されていることを特徴とする請求項１に記載の収納庫。
【請求項３】
前記本体部は、両側面の内側に取り付けられ前記引出をスライドさせる左右一対のレールを更に有し、
前記底面ブロックは、下面が床に当接していて、前記フックが前記レールに当接または近接することを特徴とする請求項２に記載の収納庫。
【発明の詳細な説明】
【技術分野】
【０００１】
本発明は、被収納物を収納可能なスライド式の引出を備える収納庫に関する。
【背景技術】
【０００２】
キッチンには、調理器具や調理材料、食器などを収納しておくために、多くの収納スペースが設けられている。このため天板（システムキッチンにおいてはワークトップ）の下には、引出や開き戸が設けられるのが通常である。近年では、引出などに収納される被収納物をある程度想定し、引出の大きさや仕切りの形状を工夫することにより、使い勝手の向上を図ることが行われている。
【０００３】
顧客の幅広いニーズに応えるために、収納庫は木製のものやステンレス等からなる金属製のものなど各種ラインナップが取り揃えられているが、なかでも金属製の収納庫は、高級感や耐久性の高さにおいて人気があり、最近の主流となりつつある。例えば特許文献１では、被収納物を収納可能なスライド式の引出を備える収納庫が開示されている。
【０００４】
特許文献１の収納庫では、ステンレス製の板状部材を折り曲げることによって、引出を収納する本体部が形成されている。特に特許文献１では、本体部の両側面の手前側の下部に、両側面の前縁の下端から下縁に至るまで後方に向かって傾斜する傾斜部を形成している。これにより、本体部の側面と一体に蹴込みを設けることができ、部品数や組付け工数の削減を図ることが可能となる。
【先行技術文献】
【特許文献】
【０００５】
【特許文献１】特許５２６４８７６号
【発明の概要】
【発明が解決しようとする課題】
【０００６】
近年、デザイン性を向上するために、上述した特許文献１のように金属製の本体部を備える収納庫において、前側の下部を四角く切り欠いた形状の蹴込みを設けたいという要請がある。しかしながら、板厚が薄い金属板を用いて本体部を形成する場合、蹴込みとなる四角い切欠きが高さ方向および奥行き方向で大きいと、切欠きの角部に荷重が集中しやすくなるおそれがある。すると、切欠きの角部が撓み、本体部が倒れる方向に変形してしまうことが懸念される。このため、四角い切欠き形状が大きい蹴込みを設ける場合には、特許文献１の収納庫を更に改良する必要がある。
【０００７】
本発明は、このような課題に鑑み、金属板を切り欠いて形成される蹴込みが大きい場合であっても変形を防ぎ、デザイン性の向上を図ることが可能な収納庫を提供することを目的としている。
【課題を解決するための手段】
【０００８】
上記課題を解決するために、本発明にかかる収納庫の代表的な構成は、被収納物を収納可能なスライド式の引出を備える収納庫であって、少なくとも両側面がステンレス製の板状部材によって形成され引出を収容する本体部を備え、本体部は、その両側面の前側の下部に形成され後方に向かって後退した蹴込み部と、その両側面各々の前縁および下縁においてコの字状に曲げ加工された屈曲部と、を有し、当該収納庫は、両側面の外側で蹴込み部に沿って配置され前縁の屈曲部と下縁の屈曲部との両方に当接する樹脂製の補強部材と、本体部の底面の下かつ両側面の内側に配置され補強部材と連結される底面ブロックと、を更に備えることを特徴とする。
【０００９】
上記構成によれば、本体部の蹴込み部の近傍は、側面の外側が補強部材によって補強され、側面の内側が底面ブロックによって補強される。これにより、蹴込み部近傍において、収納庫が倒れる方向の（左右方向の）荷重に対する強度が向上する。したがって、四角切欠き形状の蹴込みを設ける場合であっても、本体部が倒れる方向の変形を好適に防ぐことができ、収納庫のデザイン性の向上を図ることが可能となる。
【００１０】
上記底面ブロックは、上面に仮固定用のフックが形成されていて、本体部の底面は、フックに対応する位置にだるま穴が形成されているとよい。かかる構成によれば、フックをだるま穴に嵌めることにより、底面ブロックを本体部の底面に仮固定することができる。したがって、組立時の作業効率の向上を図ることが可能となる。
【００１１】
上記本体部は、両側面の内側に取り付けられ引出をスライドさせる左右一対のレールを更に有し、底面ブロックは、下面が床に当接していて、フックがレールに当接または近接するとよい。かかる構成によれば、収納庫に対して左右方向の荷重がかかった際に、本体部の側面に取り付けられたレールが底面ブロックのフックに支持される。これにより、レールを介して側面がフックによって支持されるため、本体部が倒れる方向の変形を防ぐ効果を更に高めることができる。また底面ブロックが床に当接していることにより、フックを介してうけた荷重を床に逃がすことができる。したがって、荷重による本体部の底面の変形を防ぐことが可能である。
【発明の効果】
【００１２】
本発明によれば、金属板を切り欠いて形成される蹴込みが大きい場合であっても倒れる方向の変形を防ぎ、デザイン性の向上を図ることが可能な収納庫を提供することができる。
【図面の簡単な説明】
【００１３】
【図１】本実施形態にかかる収納庫を備えるキッチンを示す図である。
【図２】本実施形態にかかる収納庫であるベースキャビネットの本体部の斜視図である。
【図３】図２の各断面図である。
【図４】補強部材の詳細を示す図である。
【図５】底面ブロックの詳細を示す図である。
【図６】本体部の底面への底面ブロックの取付について説明する図である。
【図７】本体部への各部材の取付について説明する図である。
【図８】本体部の補強部材および底面ブロックが取り付けられた箇所の断面図である。
【図９】本体部の前側の下部を側方から観察した図である。
【発明を実施するための形態】
【００１４】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１５】
（キッチン）
図１は本実施形態にかかる収納庫を備えるキッチンを示す図である。キッチン１００は一枚の天板１１０（ワークトップ）の下に複数の収納庫（キャビネット）を備えた、いわゆるシステムキッチンである。天板１１０は合成樹脂（人工大理石）やステンレスなどからなり、キッチン１００の全体の上面を覆っている。また天板１１０には、組み込み式に取り付けられたコンロ１１２、平坦なテーブル面であり主に調理を行うのに利用される調理スペース１１４、天板１１０に一体形成されたシンク１１６が設けられる。
【００１６】
天板１１０の下は、コンロ１１２本体が設置されているコンロキャビネット１２０と、調理スペース１１４に対応したベースキャビネット１３０と、シンク１１６が設置されているシンクキャビネット１４０といった各収納庫で構成される。各収納庫は収納スペースとして機能し、収納庫内の空きスペースには、コンロ１１２への配線や、シンク１１６および水栓への給排水管なども収容されている。このように、天板１１０の下では、天板１１０の上のシンク１１６やコンロ１１２といった各構成に対応した収納庫がその高さおよび奥行きを等しくして複数設けられている。
【００１７】
各収納庫は、被収納物を収納するために、様々な大きさのスライド式の引出を設けている。コンロキャビネット１２０の中央部には幅の広い大きな引出１２４が配設され、鍋やボウルなどの比較的大きな調理器具を収納することが可能になっている。
【００１８】
またコンロキャビネット１２０の下部の床近傍には、引出式の足元収納である足下収納庫１２６が配設されている。同様に、ベースキャビネット１３０には複数の引出１３２、１３４および足下収納庫１３６が配設され、シンクキャビネット１４０には引出１４４、および足下収納庫１４６が配設されている。
【００１９】
（収納庫）
次に、本実施形態の収納庫について説明する。なお、以下の説明では、上述したコンロキャビネット１２０、ベースキャビネット１３０、シンクキャビネット１４０のうち、ベースキャビネット１３０を例示するが、本発明はコンロキャビネット１２０およびシンクキャビネット１４０にも適用可能である。
【００２０】
図２は、本実施形態にかかる収納庫であるベースキャビネット１３０の本体部２００の斜視図であり、理解を容易にするために、図１の本体部から引出１３２および１３４、ならびに足下収納庫１３６を取り外した状態を示している。
【００２１】
図２に示す本体部２００は、ベースキャビネット１３０は、引出１３２および１３４、足下収納庫１３６（図１参照）を収容する。本体部２００の右側面２００ａおよび左側面２００ｂ（以下、これらを総じて両側面と称する。）、背面２００ｃは、ステンレス製の板状部材をコの字状に折り曲げることにより一体に形成される。このように本体部２００をステンレス製（金属製）とすることにより、高級感や耐久性が得られ、両側面および背面２００ｃを１枚板で構成することにより、部材数の削減、ひいてはそれらの組立工数の削減が可能となる。
【００２２】
両側面２００ａ、２００ｂおよび背面２００ｃの下縁にはステンレス製の底板が底面２００ｅとして取り付けられる。なお、本実施形態においては、コの字状に折り曲げたステンレス製の１枚板により両側面および背面２００ｃを構成したが、かかる構成は一例であり、少なくとも両側面がステンレス製の板状部材によって形成されていればよい。
【００２３】
また本実施形態では、背面２００ｃおよび底面２００ｅにもステンレス製の板状部材を用いることとしたが、これに限定するものではない。ただし、かかる構成によれば、素材の統一感が得られるため高い意匠性が得られたり、ベースキャビネット１３０を廃棄する際の分別作業が容易になったりするという利点を得ることができる。
【００２４】
図２に示すように、本体部２００の両側面の内側には、高さ方向においてレール２１０が左右一対に取り付けられている。これにより、引出１３２および１３４や足下収納庫１３６（図１参照）の側面に設けられたプーリ（不図示）をレール２１０に挿入して、引出１３２および１３４や足下収納庫１３６をスライドさせることが可能となる。
【００２５】
また図２に示すように、本体部２００の両側面の外側には、レール２１０に対応する位置に、高さ方向においてネジ受けプレート２２０が左右一対に取り付けられている。これにより、両側面を構成する板状部材の厚みを低減した場合であっても、十分な強度をもってレール２１０をかかる両側面に取り付けることが可能となる。
【００２６】
図３は、図２の各断面図である。図３（ａ）は図２のＡ−Ａ断面図であり、図３（ｂ）は図２のＢ−Ｂ断面図であり、図３（ｃ）は図２のＣ−Ｃ断面図である。なお、右側面２００ａおよび左側面２００ｂは左右対称に同一形状であるため、右側面２００ａを例示して説明する。
【００２７】
本体部２００の両側面の縁には屈曲部が設けられる。詳細には、図３（ａ）に示すように、本体部２００の右側面２００ａの前縁２０２には、そこを本体部２００の外側に曲げ加工し、更にその先端を右側面２００ａに並行になるように曲げ加工することによって、すなわち前縁２０２をコの字状に曲げ加工することによって屈曲部２０２ｃが形成されている。同様に、図３（ｂ）に示すように、本体部２００の右側面２００ａの下縁２０４には、そこを本体部２００の外側にコの字状に曲げ加工することによって屈曲部２０４ｃが形成されている。これにより、右側面２００ａの剛性を十分に確保することができるため、その薄板化を図ることができる。
【００２８】
また本体部２００の底面２００ｅの前縁２０５にも屈曲部２０５ｃを形成している。図３（ｃ）に示すように、屈曲部２０５ｃは、前縁２０５を本体部２００の下側にコの字状に曲げ加工することによって形成されている。これにより、両側面のみならず底面２００ｅの剛性も向上させることができるため、その薄板化ひいては更なる軽量化を促進することが可能となる。
【００２９】
更に本実施形態の本体部２００では、図２に示すように、本体部２００の右側面２００ａおよび左側面２００ｂの前側の下部は、後方に向かってＬ字状に後退している。これにより、両側面それぞれの前側の下部には、四角い切欠き形状の蹴込み部２０６が形成されている。かかる構成により、本体部２００の両側面と一体に蹴込みを設けることができるため、従来のように台輪（台座）によって蹴込みを設ける構成と比して部品数や組付け工数の削減を図ることができる。
【００３０】
ここで、可能であれば蹴込み部２０６にも屈曲部を設けることが好ましいものの、図２からもわかるように、蹴込み部２０６には屈曲させることができる曲げ代がない。また、蹴込み部２０６に曲げ加工のための型を当てようとすると、前縁２０２の屈曲部２０２ｃや下縁２０４の屈曲部２０４ｃが邪魔になる。このため、蹴込み部２０６を曲げ加工して屈曲部を形成することは困難である。そこで本実施形態では、両側面の外側に、蹴込み部２０６に沿って配置されてそこを補強する補強部材２５０を設けている（図２参照）。
【００３１】
図４は、補強部材２５０の詳細を示す図である。図４（ａ）は補強部材２５０の正面斜視図であり、図４（ｂ）は補強部材２５０の背面斜視図である。補強部材２５０は、図４（ｂ）に示す肉抜きされていない面が左側面２００ｂに当接される。なお、右側面２００ａに対して配置される補強部材２５０、および左側面２００ｂに対して配置される補強部材２５０の形状は左右対称である。したがって、以下の説明では、左側面２００ｂに対して配置される補強部材２５０を例示する。
【００３２】
図４に示す補強部材２５０は、樹脂製の部材であり、左側面２００ｂの下部において、その前縁２０２の屈曲部２０２ｃと下縁２０４の屈曲部２０４ｃとの両方に当接するように配置される（図２参照）。詳細には、図４（ａ）および（ｂ）に示すように、補強部材２５０の側面には、屈曲部２０２ｃに当接する第１当接面２５２ａと、屈曲部２０４ｃに当接する第２当接面２５２ｂとが設けられている。第１当接面２５２ａおよび第２当接面２５２ｂの間には、蹴込み部２０６に沿うＬ字形状の面であるＬ字面２５２ｃが設けられている。
【００３３】
また補強部材２５０の正面２５６ａには、かかる補強部材２５０をその厚み方向において背面２５６ｂに向かって貫通する複数のネジ穴２５８ａ、接続孔２５８ｂおよび連結孔２５８ｃが形成されている。ネジ穴２５８ａは、左側面２００ｂの外側への補強部材２５０の取付時に使用される。連結孔２５８ｃは、コンロキャビネット１２０等の他の収納庫の本体部と当該本体部２００との連結時に使用される。接続孔２５８ｂは、後述する底面ブロック２７０と補強部材２５０とを連結（底面ブロック２７０に補強部材２５０を固定）する際に使用される。
【００３４】
図５は、底面ブロック２７０の詳細を示す図である。図５（ａ）は底面ブロック２７０の上面斜視図であり、図５（ｂ）は底面ブロック２７０の下面斜視図である。本実施形態では、本体部２００に対して、上述した補強部材２５０に加えて図５（ａ）および（ｂ）に示す底面ブロック２７０を更に取り付ける。
【００３５】
図５（ａ）および（ｂ）に示す底面ブロック２７０は、本体部２００の底面２００ｅの下かつ両側面の内側に配置されて補強部材２５０と連結される。詳細には、底面ブロック２７０は、複数のネジ穴２７２および接続孔２７４を有する。ネジ穴２７２は、底面ブロック２７０の上面２７０ａから下面２７０ｂまで貫通していて、底面ブロック２７０を本体部２００の底面２００ｅに取り付ける際に使用される。接続孔２７４は、底面ブロック２７０の内部を幅方向に貫通していて、底面ブロック２７０と補強部材２５０とを連結する際に使用される。また本実施形態では、底面ブロック２７０の上面２７０ａには仮固定用のフック２７６が形成されている。
【００３６】
図６は、本体部２００の底面２００ｅへの底面ブロック２７０の取付について説明する図である。図６（ａ）に示すように、本体部２００の底面２００ｅには、底面ブロック２７０の上面２７０ａに設けられたフック２７６に対応する位置にだるま穴２０８が形成されている。本体部２００の底面２００ｅに底面ブロック２７０を取り付ける際には、まず図６（ａ）に示す底面２００ｅのだるま穴２０８に底面ブロック２７０のフック２７６を下方から挿入する。
【００３７】
次に、図６（ａ）の矢印に示すように底面ブロック２７０を手前側にスライドさせる。これにより、図６（ｂ）に示すように、フック２７６がだるま穴２０８に嵌り、底面２００ｅの下側に底面ブロック２７０が仮固定される。その後、本体部２００の底面２００ｅに形成されているネジ穴２０９および底面ブロック２７０のネジ穴２７２（図６（ａ）参照）にネジ３００を螺合する。これにより、本体部２００の底面２００ｅへの底面ブロック２７０の取付が完了する。
【００３８】
上記構成によれば、フック２７６およびだるま穴２０８を用いることにより、底面ブロック２７０を本体部２００の底面２００ｅに容易に仮固定することができる。したがって、組付け作業時に作業員が底面ブロック２７０を支えている必要がなく、組付け作業を効率的に行うことが可能となる。また底面ブロック２７０を本体部２００の底面２００ｅに仮固定することにより、それらの位置決めを効率的に行うこともできる。
【００３９】
図７は、本体部２００への各部材の取付について説明する図である。なお、右側面２００ａおよび左側面２００ｂ、ならびにそれらに取り付けられる補強部材２５０は左右対称に同一の構成を有するため、以下、右側面２００ａおよびそこに取り付けられる各部材を例示して説明する。
【００４０】
本体部２００へ各部材を取り付ける際には、まず図７（ａ）に示すように補強部材２５０を破線に示す位置から矢印の方向に右側面２００ａに沿って移動させる。そして、右側面２００ａの前縁２０２の屈曲部２０２ｃおよび下縁２０４の屈曲部２０４ｃ内に補強部材２５０を配置する。これにより、補強部材２５０の第１当接面２５２ａおよび第２当接面２５２ｂ（図４参照）が、右側面２００ａの外側において屈曲部２０２ｃ・２０４ｃとそれぞれ当接する。
【００４１】
次に図７（ｂ）に示すように、底面ブロック２７０を取り付けた底面２００ｅ（図６（ｂ）参照）を本体部２００の内側に配置する。これにより、底面ブロック２７０は、本体部２００の底面２００ｅの下且つ右側面２００ａの内側に位置することとなる。そして、補強部材２５０の背面２５６ｂの外側から、接続孔２５８ｂ・２７４にネジ３００を螺合する。これにより、本体部２００の右側面２００ａの蹴込み部２０６には、外側に補強部材２５０が配置され、内側に底面ブロック２７０が配置される。
【００４２】
上記説明したように、本実施形態にかかる収納庫（ベースキャビネット１３０）では、補強部材２５０および底面ブロック２７０によって本体部２００の両側面の蹴込み部２０６が外側および内側から補強される。これにより、蹴込み部２０６近傍において荷重に対する強度、特に本体部２００の両側面に対して倒れる方向（左右方向）にかかる荷重に対する強度を飛躍的に高めることができる。したがって、金属板を切り欠いて形成される蹴込みが大きい場合であっても、荷重の集中による蹴込み部２０６ひいては本体部２００の倒れる方向の変形を好適に防ぐことができ、収納庫のデザイン性の向上を図ることが可能となる。
【００４３】
図８は、本体部２００の補強部材２５０および底面ブロック２７０が取り付けられた箇所の断面図である。図８に示すように、本実施形態では特に、底面ブロック２７０は、下面２７０ｂが床（図中、ハッチングにて図示）に当接していて、フック２７６がレール２１０に当接している。
【００４４】
上記構成のように底面ブロック２７０のフック２７６とレール２１０とが当接していることにより、右側面２００ａに対して本体部２００の内側に向かう方向（図８では右方向）の荷重がかかると、その荷重がレール２１０の底面２１０ａを介してフック２７６に受け止められる。これにより、本体部２００の右側面２００ａがレール２１０を介してフック２７６に支持されるため、本体部２００が倒れる方向の変形を防ぐ効果をより高めることができる。
【００４５】
そして、底面ブロック２７０の下面２７０ｂが床に当接していることにより、本体部２００の底面２００ｅの撓み（回転）を防止し、且つフック２７６がレール２１０から受けた荷重を床に逃がすことができる。したがって、本実施形態のように底面ブロック２７０を設けることにより、右側面２００ａの倒れおよび底面２００ｅの撓みの両方を抑制し、本体部２００の強度を高めることが可能となる。なお、図８では、レール２１０とフック２７６とが当接している構成を例示したが、これに限定するものではなく、レール２１０とフック２７６とが近接している構成によっても同様の効果を得ることができる。
【００４６】
図９は、本体部２００の前側の下部を側方から観察した図である。説明の都合上、図９では、右側面２００ａおよびそれに取り付けられる部材を不図示としている。図９に示すように、本実施形態では、底面２００ｅの屈曲部２０５ｃの内側に、断面がコの字形状の底面補強部材２８０を設けている。一方、底面ブロック２７０の前側には、段差部２７８が形成されている。
【００４７】
本実施形態では、底面ブロック２７０を底面２００ｅに取り付ける際に、底面ブロック２７０の段差部２７８を底面補強部材２８０に差し込んでいる。これにより、底面補強部材２８０と底面ブロック２７０の段差部２７８が干渉するため、仮に床（図８参照）が傾いていた場合等に底面ブロック２７０が床から浮いていても（不陸の状態）、底面ブロック２７０にかかる荷重を底面補強部材２８０によって受けることができる。したがって、本体部２００が倒れる方向の変形をより確実に防ぐことが可能となる。
【００４８】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４９】
本発明は、被収納物を収納可能なスライド式の引出を備える収納庫に利用することができる。
【符号の説明】
【００５０】
１００…キッチン、１１０…天板、１１２…コンロ、１１４…調理スペース、１１６…シンク、１２０…コンロキャビネット、１２４…引出、１２６…足下収納庫、１３０…ベースキャビネット、１３２…引出、１３４…引出、１３６…足下収納庫、１４０…シンクキャビネット、１４４…引出、１４６…足下収納庫、２００…本体部、２００ａ…右側面、２００ｂ…左側面、２００ｃ…背面、２００ｅ…底面、２０２…前縁、２０２ｃ…屈曲部、２０４…下縁、２０４ｃ…屈曲部、２０５…前縁、２０５ｃ…屈曲部、２０６…蹴込み部、２０８…だるま穴、２０９…ネジ穴、２１０…レール、２５０…補強部材、２５２ａ…第１当接面、２５２ｂ…第２当接面、２５２ｃ…Ｌ字面、２５６ａ…正面、２５６ｂ…背面、２５８ａ…ネジ穴、２５８ｂ…接続孔、２５８ｃ…連結孔、２７０…底面ブロック、２７０ａ…上面、２７０ｂ…下面、２７２…ネジ穴、２７４…接続孔、２７６…フック、２７８…段差部、２８０…底面補強部材、３００…ネジ
【図１】
2019080807.tif 000003
【図２】
2019080807.tif 000004
【図３】
2019080807.tif 000005
【図４】
2019080807.tif 000006
【図５】
2019080807.tif 000007
【図６】
2019080807.tif 000008
【図７】
2019080807.tif 000009
【図８】
2019080807.tif 000010
【図９】
2019080807.tif 000011